【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
近位端部および遠位端部を有する拡張可能なベースであって、第１ベース部分および第２ベース部分を備え、前記第１ベース部分は、前記第１ベース部分および前記第２ベース部分がコンパクト位置と拡張位置との間を互いに対してスライド移動可能に前記第２ベース部分とスライド係合し、前記拡張位置にある当該ベースは、プランジャーを有するチャンバボディであって、ボアおよび吐出口を画定し、前記プランジャーがスライド可能に前記ボア内に配置されるチャンバボディが着座するよう適合されるベースと、
前記ベースにスライド係合するプッシャーであって、前記プランジャーの頭部と接触するよう寸法決めされるプッシャーと、
前記ベースにスライド係合するプラーと、
第１端部と第２端部を含むスプリングであって、前記第１端部はプラーに接続され、前記第２端部はプッシャーに接続され、前記プランジャーを有する前記チャンバボディが前記ベース内に着座したときに前記プラーを遠位側にスライド移動させることにより、前記プッシャーが前記プランジャーの前記頭部に接触して力を加える、スプリングと、
前記ベースの前記近位端部に枢動可能に接続された拡張可能なカバーであって、当該カバーの開放を前記プラーおよび前記プッシャーの近位端部側への移動に変換し、前記チャンバボディが配置されたときの当該カバーの閉塞は前記プッシャーを前記プランジャーに係合させ、前記プラーを遠位端部側に移動させ、前記スプリングに張力を発生させるように構成、配置されたリンク機構が当該カバーと前記プラーとの間に枢動可能に連結されたカバーと、を備え、
前記拡張可能なベースおよび前記拡張可能なカバーは、前記チャンバボディと、圧力ポンプを形成する前記チャンバボディの前記プランジャーに力を供給するように構成、配置される前記スプリング、前記プラーおよび前記プッシャーとを包囲することを特徴とするポンプ包囲アセンブリ。
【請求項２】
前記チャンバボディは注射器バレルを備え、前記プランジャーは注射器プランジャーであることを特徴とする請求項１に記載のポンプ包囲アセンブリ。
【請求項３】
前記圧力ポンプは、背圧および流量に基づいて平衡状態で動作することを特徴とする請求項１に記載のポンプ包囲アセンブリ。
【請求項４】
遠位端部および近位端部を有するハウジングであって、（ａ）第１ベース部分および第２ベース部分を備え、前記第１ベース部分は、前記第１ベース部分および前記第２ベース部分がコンパクト位置と拡張位置との間を互いに対してスライド移動可能に前記第２ベース部分とスライド係合し、前記拡張位置にある当該ベースは、プランジャーを有するチャンバボディであって、ボアおよび吐出口を画定し、前記プランジャーがスライド可能に前記ボア内に配置されるチャンバボディが着座するよう適合されるベースと、（ｂ）第１カバー部分および第２カバー部分を備える拡張可能なカバーであって、前記第１カバー部分は前記第２カバー部分とスライド係合し、当該カバーは、当該カバーが開閉可能な位置で、かつ、当該カバーが閉じ位置にあるとき、前記第２ベース部分を前記第１ベース部分に対してスライド移動させることにより前記第２カバー部分を前記第１カバー部分に対して移動させるよう前記ベースに枢動可能に連結されたカバーと、を備えるハウジングと、
前記ベースとスライド係合するプッシャーであって、前記プランジャーの頭部と接触するよう寸法決めされるプッシャーと、
前記ベースとスライド係合するプラーと、
第１端部と第２端部を含むスプリングであって、前記第１端部はプラーに接続され、前記第２端部は前記プッシャーに接続されるスプリングと、
前記カバーおよび前記プラーに枢動可能に連結された第１リンク機構であって、当該第１リンク機構のピボットが、カバーが下降したときにプラーを前記遠位端部に向かって移動させ、カバーが持ち上げられたときにプラーを前記近位端部に向かって移動させるよう配置された第１リンク機構と、を備え、
前記プランジャーを有する前記チャンバボディが前記ベース内に着座しているときに前記カバーを下降させることによって前記プラーを前記遠位端部に向かって移動させることによって、前記プッシャーが前記プランジャーの前記頭部に接触して力を加え、前記スプリング、前記プラーおよび前記プッシャーは圧力ポンプを形成する前記チャンバボディの前記プランジャーに力を供給するよう構成、配置されることを特徴とするポンプ包囲アセンブリ。
【請求項５】
前記チャンバボディは注射器バレルを備え、前記プランジャーは注射器プランジャーであることを特徴とする請求項４に記載のポンプ包囲アセンブリ。
【請求項６】
前記圧力ポンプは、背圧および流量に基づいて平衡状態で動作することを特徴とする請求項４または５に記載のポンプ包囲アセンブリ。
【請求項７】
前記カバーを前記プラーに枢動可能に連結する第２リンク機構であって、前記第２リンク機構のピボットが、前記カバーが下降したときに当該第２リンク機構が前記第１リンク機構とともに前記プラーを前記遠位端部に向かって押し、前記カバーが持ち上げられたときに当該第２リンク機構が前記第１リンク機構とともにプラーを前記近位端部に向かって引くように配置された第２リンク機構をさらに備えることを特徴とする請求項４から６のいずれかに記載のポンプ包囲アセンブリ。
【請求項８】
前記第１ベース部分または前記第２ベース部分に設けられ、前記第１ベース部分および前記第２ベース部分を前記コンパクト位置と前記拡張位置との間でスライド移動可能に案内するベースガイドシステムを備えることを特徴とする請求項４から７のいずれかに記載のポンプ包囲アセンブリ。
【請求項９】
前記ベースガイドシステムは、前記第１ベース部分上または前記第２ベース部分上のベースガイドレールと、前記第２ベース部分上または前記第１ベース部分上の対応する相補的なベースガイドトラックと、備え、前記ベースガイドレールは対応する相補的な前記ベースガイドトラックとスライド可能に嵌合することを特徴とする請求項８に記載のポンプ包囲アセンブリ。
【請求項１０】
前記第１ベース部分上または前記第２ベース部分上に、前記第１ベース部分および前記第２ベース部分が前記拡張位置にあるときに前記第１ベース部分および前記第２ベース部分が分離するのを防止するためのベースストップをさらに備えることを特徴とする請求項４から９のいずれかに記載のポンプ包囲アセンブリ。
【請求項１１】
前記第１カバー部分または前記第２カバー部分に設けられ、前記第１カバー部分および前記第２カバー部分を前記コンパクト位置と前記拡張位置との間でスライド移動可能に案内するカバーガイドシステムを備えることを特徴とする請求項４から１０のいずれかに記載のポンプ包囲アセンブリ。
【請求項１２】
前記カバーガイドシステムは、第１カバー部分上または第２カバー部分上のカバーガイドレールと、第２カバー部分上まはた第１カバー部分上の対応する相補的なカバーガイドトラックと、を含み、前記カバーガイドレールは対応する相補的な前記カバーガイドトラックとスライド可能に嵌合することを特徴とする請求項１１に記載のポンプ包囲アセンブリ。
【請求項１３】
前記第１カバー部分または前記第２カバー部分には、前記第１カバー部分および前記第２カバー部分が拡張位置にあるときに前記第１カバー部分および前記第２カバー部分が分離するのを防止するためのカバーストップが設けられていることを特徴とする請求項４から１２のいずれかに記載のポンプ包囲アセンブリ。
【請求項１４】
前記チャンバボディをセンタリングおよび／または保持するためのカラーをさらに備え、前記カラーは前記プッシャーの遠位に配置されることを特徴とする請求項４から１３のいずれかに記載のポンプ包囲アセンブリ。
【請求項１５】
規定位置で前記カラーの遠位側への移動を防止するためのカラーストップをさらに備えることを特徴とする請求項１４に記載のポンプ包囲アセンブリ。
【請求項１６】
前記カラーストップは、前記第２ベース部分の前記遠位端部に取り付けられていることを特徴とする請求項１５に記載のポンプ包囲アセンブリ。
【請求項１７】
前記プラー、前記プッシャー、および／または前記カラーをスライド可能に取り付けるための１つ以上のトラックシステムを前記ベース上に備えることを特徴とする請求項４から１６のいずれかに記載のポンプ包囲アセンブリ。
【請求項１８】
前記トラックシステムは、前記第２ベース部分上に存在することを特徴とする請求項１７に記載のポンプ包囲アセンブリ。
【請求項１９】
前記プラーは、前記プラーを前記１つ以上のトラックシステムにスライド可能に取り付けるプラーガイド要素を備えることを特徴とする請求項１７または１８に記載のポンプ包囲アセンブリ。
【請求項２０】
前記プッシャーは、前記プッシャーを前記１つ以上のトラックシステムにスライド可能に取り付けるプッシャーガイド要素を備えることを特徴とする請求項１７または１８に記載のポンプ包囲アセンブリ。
【請求項２１】
前記カラーは、前記カラーを前記１つ以上のトラックシステムにスライド可能に取り付けるカラーガイド要素を備えることを特徴とする請求項１７または１８に記載のポンプ包囲アセンブリ。
【請求項２２】
前記スプリングは、テープスプリングを含むことを特徴とする請求項４から２１のいずれかに記載のポンプ包囲アセンブリ。
【請求項２３】
前記プラーが前記遠位端部に向かってスライド可能に動かされたときに、前記ベースに着座した前記チャンバボディの前記プランジャーの前記頭部に前記テープスプリングが実質的に一定の力を生成することを特徴とする請求項２２に記載のポンプ包囲アセンブリ。
【請求項２４】
前記カバーの開放動作を減衰させるダンパーをさらに備えることを特徴とする請求項２３に記載のポンプ包囲アセンブリ。
【請求項２５】
前記カバーを前記ベース上の閉鎖位置に保持するラッチアセンブリまたはロックアセンブリをさらに備えることを特徴とする請求項４から２４のいずれかに記載のポンプ包囲アセンブリ。
【請求項２６】
前記チャンバボディの前記吐出口を保持またはロックするために、前記第１ベース部分の前記遠位端部にルアーロケータをさらに備えることを特徴とする請求項４から２５のいずれかに記載のポンプ包囲アセンブリ。
【請求項２７】
前記ベースに着座している非適合のチャンバボディーを拒絶するためのリジェクタをさらに含むことを特徴とする請求項４から２６のいずれかに記載のポンプ包囲アセンブリ。
【請求項２８】
前記カバーは、前記カバーが閉じられたときに前記チャンバボディを見るためのプログレスウィンドウを含むことを特徴とする請求項４から２７のいずれかに記載のポンプ包囲アセンブリ。